(57)【要約】  空気調和機において、室内ユニットの本体１内に、放電によってオゾンおよびイオン風を発生させるオゾン・イオン発生装置を設け、オゾン・イオン発生装置より発生されたイオン風が通風路内を吹出口側から吸込口側へと向かうように、オゾン・イオン発生装置が本体内に配置され、イオン風により本体内にオゾンを充満させて、本体内部の浄化を行う構成とすることにより、十分な量のオゾンを拡散させて殺菌し、雑菌やかびの繁殖を十分に防止することが可能なオゾン・イオン発生装置およびそれを備える空気調和機を提供する。
2012035757.tif 000002
【特許請求の範囲】
【請求項１】
放電電極と対向電極との間でコロナ放電を発生させてオゾンおよびマイナスイオンを発生させるオゾン・イオン発生装置において、放電電極が針電極であり、対向電極が針電極の軸心を中心とした筒形状から一部を除去した円弧形状の電極であり、かつ放電電極を対向電極の軸心上に放電電極の針先が対向電極の端面より突出する位置に配した、
オゾン・イオン発生装置。
【請求項２】
対向電極が針電極の軸心を中心とした円弧形状の筒型電極であり、円弧が９０度以上２７０度以下である、
請求項１に記載のオゾン・イオン発生装置。
【請求項３】
対向電極が針電極の軸心を中心とした円弧形状の筒型電極であり、左右の端部上部の角が扇状に切除されている、
請求項１に記載のオゾン・イオン発生装置。
【請求項４】
対向電極が針電極の軸心を中心とした円弧形状の筒型電極であり、左右の端部が外側に折られている、
請求項１に記載のオゾン・イオン発生装置。
【請求項５】
放電電極と対向電極の電極間に直流電圧を印加する高電圧発生装置を備え、この高電圧発生装置が印加する直流電圧は、範囲が−３ｋＶ以上−１０ｋＶ以下であり、かつ、電極間に流れる電流が１μＡより大きく、３０μＡより小さい、
請求項１〜４のいずれか１項に記載のオゾン・イオン発生装置。
【請求項６】
吸込口および吹出口を備えた本体と、
吸込口から吹出口に至る通風路に設けた熱交換器および送風ファンと、
本体内に配置され、放電によってオゾンおよびイオン風を発生させるオゾン・イオン発生装置とを備え、
オゾン・イオン発生装置より発生されたイオン風が通風路内を吹出口側から吸込口側へと向かうように、オゾン・イオン発生装置が本体内に配置され、
イオン風により本体内にオゾンを充満させて、本体内部の浄化を行う、
空気調和機。
【請求項７】
吸込口に設けたエアフィルタをさらに備え、
オゾン・イオン発生装置より発生されたイオン風を用いてオゾンを本体内に充満させることにより、エアフィルタおよび本体内部の除菌を行う、
請求項６に記載の空気調和機。
【請求項８】
本体の上部に吸込口、下部に吹出口を設けるとともに、オゾン・イオン発生装置は吹出口近傍に設けて、イオン風が上向きに流れるように配置した、
請求項７に記載の空気調和機。
【請求項９】
吹出口を開閉するルーバーと、
オゾン・イオン発生装置及びルーバーの開閉を制御する制御部とをさらに備え、
制御部はルーバーにより吹出口を閉塞してオゾン・イオン発生装置を作動させる、
請求項７に記載の空気調和機。
【請求項１０】
制御部は、空気調和機の冷凍サイクル停止中に、オゾン・イオン発生装置を作動させるクリーン運転を実施する、
請求項７に記載の空気調和機。
【請求項１１】
オゾン・イオン発生装置は放電電極と対向電極とで構成し、対向電極は放電電極の外周所定範囲を取り囲む、
請求項７に記載の空気調和機。
【請求項１２】
放電電極の放電部は対向電極よりも上方に突出させて設けた、
請求項１１に記載の空気調和機。
【請求項１３】
オゾン・イオン発生装置は放電電極と対向電極の電極間に直流電圧を印加する高電圧発生装置を備え、高電圧発生装置が印加する直流電圧は、範囲が−３ｋＶ以上−１０ｋＶ以下であり、かつ、電極間に流れる電流が１μＡより大きく、３０μＡより小さい、
請求項６〜１２のいずれか１項に記載の空気調和機。
【請求項１４】
空気調和機は、運転中にイオンを室内空間に放出する塵捕集運転機能と、運転停止後に本体内部にオゾンを充満させる内部クリーン運転機能を有し、
通風路は、吸込口に連通した吸込側風路と、吹出口に連通した吹出側風路とを有し、
オゾン・イオン発生装置は、吹出側風路またはその近傍に配置され、
さらに、オゾン・イオン発生装置は、放電電極と対向電極とを有する放電部を備え、少なくとも対向電極が放電電極よりも吹出側風路の内側寄りに位置するように、放電部が吹出側風路内へと突出して配置されており、
運転中に、オゾン・イオン発生装置により吹出側風路内に発生されたイオンが、吹出口を通して室内に放出されることにより塵捕集運転を行い、
運転停止後に、オゾン・イオン発生装置より発生されたイオン風が吹出側風路を通り、吸込側風路に向かうことにより内部クリーン運転を行う、
請求項６に記載の空気調和機。
【請求項１５】
放電電極は針電極であり、対向電極は針電極の軸心を中心とした筒形状から一部を除去した円弧形状の電極であり、かつ放電電極を対向電極の軸心上に放電電極の針先が対向電極の端面より突出する位置に配した、
請求項１４に記載の空気調和機。
【請求項１６】
オゾン・イオン発生装置を吹出側風路の略中央部分に配置し、対向電極が針電極の軸心を中心とした筒形状から一部を除去した円弧形状の電極であり、円弧形状の円弧中心が風向の風上側に存在する、
請求項１４または１５に記載の空気調和機。
【請求項１７】
オゾン・イオン発生装置を吹出側風路の端部に配置し、対向電極が針電極の軸心を中心とした筒形状から一部を除去した円弧形状の電極であり、円弧形状の円弧中心が風向の風上側に対して中央方向に０度から９０度までの範囲に存在する、
請求項１４または１５に記載の空気調和機。
【発明の詳細な説明】
【技術分野】
【０００１】
本発明は、オゾンとイオン風を発生させるオゾン・イオン発生装置およびそれを備える空気調和機に関する。
【背景技術】
【０００２】
一般的な空気調和機は、室内ユニットの本体前面および上面に空気の吸込口を、底面に空気の吹出口をそれぞれ形成し、この本体の内部に、エアフィルタと熱交換器と送風ファンとを収納し、送風ファンにより吸込口から吸い込んだ空気をエアフィルタにより除塵し、ついで熱交換器により熱交換させたのち吹出口より吹き出す構成になっている。【０００３】
このため、室内ユニット内には空気中に浮遊するごみや埃が室内空気と一緒に吸い込まれ、このごみや埃が室内ユニット内部壁面や内部に設けられた送風ファンや熱交換器等に付着しやすい。そしてこの付着したごみや埃に含まれる雑菌やかび等の微生物が繁殖し易いという問題がある。特に、冷房運転停止後には、熱交換器で凝縮した凝縮水が室内ユニット内で蒸発し、室内ユニット内部の湿度が高くなるため、微生物がより繁殖し易くなるという問題がある。【０００４】
このような問題に対して、室内ユニット内にオゾン発生装置を設けてオゾンの殺菌効果により、微生物の繁殖を抑制するよう構成した空気調和機が提案されている（特許文献１参照）。
【先行技術文献】
【特許文献】
【０００５】
【特許文献１】特開平６−２７２８８８号公報
【発明の概要】
【発明が解決しようとする課題】
【０００６】
前記従来の空気調和機において、室内ユニット内で発生させたオゾンは、オゾン発生装置の近傍に止まるだけで、オゾンが室内ユニット内部に十分に拡散しないという課題があった。従い、オゾン発生装置近傍のみしか雑菌やかびの繁殖を防止することができず、室内ユニット内部全体を殺菌して雑菌やかびの繁殖を防止するには不十分であった。特に、塵埃が捕集されたエアフィルタは一般的に室内ユニットの上面に設置されており、空気より高比重のオゾンを実際上エアフィルタまで充満させることが出来ず、エアフィルタ上の塵埃とともに捕集された雑菌やかびの繁殖を十分に防止できなかった。【０００７】
また、送風ファンを回転させてオゾンを拡散させることが考えられるが、室内ユニット内で発生させたオゾンが室内に拡散してしまい、室内ユニット内に必要なオゾン濃度を確保できないという欠点があった。また、空気調和装置を運転していないのに送風ファンの運転音がするため、使用者にとってあまり好ましいものではなかった。【０００８】
従って、本発明の目的は、上記問題を解決することにあって、十分な量のオゾンを拡散させて殺菌することにより雑菌やかびの繁殖を十分に防止することが可能なオゾン・イオン発生装置およびそれを備える空気調和機を提供することにある。
【課題を解決するための手段】
【０００９】
前記従来の課題を解決するために、本発明の空気調和機は、吸込口および吹出口を備えた本体と、吸込口から吹出口に至る通風路に設けた熱交換器および送風ファンと、本体内に配置され、放電によってオゾンおよびイオン風を発生させるオゾン・イオン発生装置とを備え、オゾン・イオン発生装置より発生されたイオン風が通風路内を吹出口側から吸込口側へと向かうように、オゾン・イオン発生装置が本体内に配置され、イオン風により本体内にオゾンを充満させて、本体内部の浄化を行う構成とした。【００１０】
また、前記従来の課題を解決するために、本発明のオゾン・イオン発生装置は、放電電極と対向電極との間でコロナ放電を発生させてオゾンおよびマイナスイオンを発生させるオゾン・イオン発生装置において、放電電極が針電極であり、対向電極が針電極の軸心を中心とした筒形状から一部を除去した円弧形状の電極であり、かつ放電電極を対向電極の軸心上に放電電極の針先が対向電極の端面より突出する位置に配した構成とした。
【発明の効果】
【００１１】
本発明のオゾン・イオン発生装置を備える空気調和機は、オゾン・イオン発生装置により十分な量のオゾンを拡散させて殺菌し、雑菌やかびの繁殖を十分に防止することができる。【００１２】
本発明のオゾン・イオン発生装置は、イオン放出量を増大させるとともに、オゾン発生量をコントロールし、発生するイオン風を利用してオゾンの拡散を促進させることができる。
【図面の簡単な説明】
【００１３】
【図１】本発明の実施の形態１における空気調和機の横断面図
【図２Ａ】本発明の実施の形態１におけるオゾン・イオン発生装置の略概断面図
【図２Ｂ】図２Ａの矢印Ｓ１方向から見た模式図
【図３Ａ】本発明の実施の形態１におけるオゾン・イオン発生装置の略概断面図
【図３Ｂ】図３Ａの矢印Ｓ２方向から見た模式図
【図４】本発明の実施の形態１における空気調和機の正面図
【図５】本発明の実施の形態１における空気調和機を上から見た平面図
【図６】本発明の実施の形態１における空気調和機の正面図
【図７】本発明の実施の形態１における空気調和機を上から見た平面図
【図８】本発明の実施の形態２におけるオゾン・イオン発生装置の模式図
【図９】本発明の実施の形態２における円弧形状筒型電極の俯瞰図
【図１０】本発明の実施の形態２における円弧型状筒型電極の１つの展開平面図
【図１１】本発明の実施の形態２における円弧型状筒型電極の１つの俯瞰図
【図１２】本発明の実施の形態２における電流（小）とオゾン発生量の関係図
【図１３】本発明の実施の形態２における電流（大）とオゾン発生量の関係図
【図１４】本発明の実施の形態２における印加電圧と電流値の関係図
【図１５】本発明の実施の形態２における突出長さとマイナスイオン発生量および電流値の関係図
【図１６】本発明の実施の形態２における円弧角度および突出長さとマイナスイオン発生量および電流値の関係図
【図１７】本発明の実施の形態２における円筒直径および突出長さとマイナスイオン発生量および電流値の関係図
【図１８】本発明の実施の形態２における円弧角度と発生装置近傍のオゾン濃度の関係図
【図１９】本発明の実施の形態３における空気調和機の室内ユニットの横断面模式図
【図２０Ａ】本発明の実施の形態３における空気調和機に組み込まれたオゾン・イオン発生装置の平面図
【図２０Ｂ】同オゾン・イオン発生装置の側面図
【図２１】本発明の実施の形態３におけるオゾン・イオン発生装置を吹出側風路の略中央部分に配置した空気調和機室内ユニットの正面図
【図２２】本発明の実施の形態３におけるオゾン・イオン発生装置を吹出側風路の端部に配置した空気調和機室内ユニットの正面図
【発明を実施するための形態】
【００１４】
第１の発明は、吸込口および吹出口を備えた本体と、吸込口から吹出口に至る通風路に設けた熱交換器および送風ファンと、本体内に配置され、放電によってオゾンおよびイオン風を発生させるオゾン・イオン発生装置とを備え、オゾン・イオン発生装置より発生されたイオン風が通風路内を吹出口側から吸込口側へと向かうように、オゾン・イオン発生装置が本体内に配置され、イオン風により本体内にオゾンを充満させて、本体内部の浄化を行う、空気調和機である。
【００１５】
オゾン・イオン発生装置は、放電によって空気中の酸素分子を酸化してオゾン分子（Ｏ３）としオゾンを発生させると同時に、放電によってプラスイオンやマイナスイオンを発生させ空気中にイオン風として放出させる構成とすることで、発生させたオゾンをイオン風により拡散させ、本体内部全体に充満させることができる。
【００１６】
また、イオン風が本体内側に向かって流れるような配置とすることで、本体内部に均一にオゾンを拡散させることが可能となる。
【００１７】
これにより、オゾンの殺菌効果によって室内ユニットの本体内の各部、各部品が殺菌され、本体内におけるかび等の微生物の繁殖が抑制される。
【００１８】
さらにオゾンによる脱臭効果によって、本体内の部材に染み付いた臭いの脱臭が効果的に行われ、空気調和機の運転開始時に、臭いが吹出口から吹出風となって吹出されるのを防ぐことが可能となる。
【００１９】
第２の発明は、第１の発明において、吸込口に設けたエアフィルタをさらに備え、オゾン・イオン発生装置より発生されたイオン風を用いてオゾンを本体内に充満させることにより、エアフィルタおよび本体内部の除菌を行う、空気調和機である。
【００２０】
エアフィルタまでオゾンを充満させて殺菌することにより、エアフィルタ上の塵埃とともに捕集された雑菌やかびの繁殖も十分に防止することができる。
【００２１】
第３の発明は、第２の発明において、本体の上部に吸込口、下部に吹出口を設けるとともに、オゾン・イオン発生装置は吹出口近傍に設けて、イオン風が上向きに流れるように配置した、空気調和機である。
【００２２】
その際、イオン風が上向きに流れるように配置することにより吹出口から上部方向にオゾンが拡散され、空気より高比重のオゾンをエアフィルタ近傍まで充満させることが可能となる。従い、エアフィルタを含めた室内ユニット内部の殺菌を効果的に行うことができる。
【００２３】
第４の発明は、第２の発明において、吹出口を開閉するルーバーと、オゾン・イオン発生装置及びルーバーの開閉を制御する制御部とをさらに備え、制御部はルーバーにより吹出口を閉塞してオゾン・イオン発生装置を作動させる、空気調和機である。
【００２４】
これにより、室内ユニットの内部は密閉あるいは略密閉な状態となり、オゾンを効率良く室内ユニット内に充満させることが可能となる。
【００２５】
第５の発明は、第２の発明において、制御部は、空気調和機の冷凍サイクル停止中に、オゾン・イオン発生装置を作動させるクリーン運転を実施する、空気調和機である。
【００２６】
冷房運転停止後は、熱交換器で凝縮した凝縮水が室内ユニット内で蒸発し、室内ユニット内部の湿度が高くなるため、雑菌やかびが繁殖し易い環境となっているが、冷房運転停止後すなわち冷凍サイクル停止中に、オゾン・イオン発生装置を作動させることにより、室内ユニット内部の雑菌およびかびを殺菌し、繁殖を抑制することが可能となる。
【００２７】
第６の発明は、第２の発明において、オゾン・イオン発生装置は放電電極と対向電極とで構成し、対向電極は放電電極の外周所定範囲を取り囲む、空気調和機である。
【００２８】
放電電極と対向電極を対置して両電極間に高電圧を印加することで、風量感を与えるほどの風速のイオン風を発生させることができる。対向電極を放電電極の外周所定範囲を取り囲むように構成することにより、イオン風の進行方向を拡散させ広がりを持たせることができ、これによりオゾンを室内ユニット内部に効果的に均一に充満させることが可能となる。
【００２９】
第７の発明は、第６の発明において、放電電極の放電部は対向電極よりも上方に突出させて設けた、空気調和機である。
【００３０】
これにより、対向電極に捕捉されるマイナスイオン等のイオン量を抑制し、空気中に放出されるイオン量を増加させることが出来る。従い、イオン風の風量を増加させることができ、オゾンを室内ユニット内部に迅速に拡散させることが可能となり、さらにより効果的にエアフィルタにまでオゾンを充満させることが可能となる。
【００３１】
第８の発明は、第１〜７の発明において、オゾン・イオン発生装置は放電電極と対向電極の電極間に直流電圧を印加する高電圧発生装置を備え、高電圧発生装置が印加する直流電圧は、範囲が−３ｋＶ以上−１０ｋＶ以下であり、かつ、電極間に流れる電流が１μＡより大きく、３０μＡより小さい、空気調和機である。
【００３２】
これにより、放電の強さにともなうイオン発生量の増加、および対向電極に捕捉されてしまうイオン量の減少によるイオン放出量の増加、また、オゾン発生量を増加することができ、イオンとともにオゾン発生量をともに増大させることができ、より確実にエアフィルタにまでオゾンを充満させることが可能となる。
【００３３】
第９の発明は、第１の発明において、空気調和機は、運転中にイオンを室内空間に放出する塵捕集運転機能と、運転停止後に本体内部にオゾンを充満させる内部クリーン運転機能を有し、通風路は、吸込口に連通した吸込側風路と、吹出口に連通した吹出側風路とを有し、オゾン・イオン発生装置は、吹出側風路またはその近傍に配置され、さらに、オゾン・イオン発生装置は、放電電極と対向電極とを有する放電部を備え、少なくとも対向電極が放電電極よりも吹出側風路の内側寄りに位置するように、放電部が吹出側風路内へと突出して配置されており、運転中に、オゾン・イオン発生装置により吹出側風路内に発生されたイオンが、吹出口を通して室内に放出されることにより塵捕集運転を行い、運転停止後に、オゾン・イオン発生装置より発生されたイオン風が吹出側風路を通り、吸込側風路に向かうことにより内部クリーン運転を行う、空気調和機である。
【００３４】
このように、オゾン・イオン発生装置を吹出口側風路またはその近傍に配置することで、発生したイオンを熱交換器等で吸収されることなく室内空間に多く放出できる。また、吹出口側風路内は運転中に通過する風量、風速ともに大きく、イオンを室内空間に放出するには好適である。また、内部クリーン運転時にはオゾン・イオン発生装置から発生するイオンがイオン風によって吹出側風路を通り、吸込口側へと流れることにより、室内ユニット内部へオゾンを確実に拡散することができる。したがって、室内空間に浮遊する菌、ウイルス、カビ、粉塵、花粉などを帯電させることができ、積極的に室内ユニット内に取り込むことができる。さらに、取り込んだ菌、ウイルス、カビを室内ユニット内に充満させたオゾンにより死滅させることにより増殖を抑制することができる。加えてこの発明では拡散のための駆動部を持たなくてもよいため、静かであり、就寝時にも稼動音が気にならない。
【００３５】
第１０の発明は、第９の発明において、放電電極は針電極であり、対向電極は針電極の軸心を中心とした筒形状から一部を除去した円弧形状の電極であり、かつ放電電極を対向電極の軸心上に放電電極の針先が対向電極の端面より突出する位置に配した、空気調和機である。
【００３６】
これにより、イオンの放出量が多くなるので、無風時においても吹出側風路を通過する風量、風速の大きさに大きく左右されず安定したイオン放出量を確保することができる。また、対向電極は針電極の軸心を中心とした筒形状から一部を除去した円弧形状の電極であることで、均一な距離に配した電極面を形成することができ、安定した強い放電によるオゾン生成と除去された面の存在によりイオンの放出量の増大を果たすことができる。これにより、室内空間に浮遊する菌、ウイルス、カビ、粉塵、花粉などを帯電させることができ、積極的に室内ユニット内に取り込むことができる。さらに、取り込んだ菌、ウイルス、カビを室内ユニット内に充満させたオゾンにより死滅させることにより増殖を抑制することができる。
【００３７】
第１１の発明は、第９、１０の発明において、オゾン・イオン発生装置を吹出側風路の略中央部分に配置し、対向電極が針電極の軸心を中心とした筒形状から一部を除去した円弧形状の電極であり、円弧形状の円弧中心が風向の風上側に存在する、空気調和機である。
【００３８】
この構成により、塵捕集運転機能の動作時には、放電電極より風上側に対向電極の大部分が存在することになり、送風ファンからの風によって発生したイオンが対向電極で中和されることを抑制することになって、イオンが多く室内空間に放出されることになる。また、内部クリーン機能の動作中には、オゾン・イオン発生装置を吹出側風路の略中央部分に配置したことにより、室内ユニット内部にオゾンを行き渡らせることが容易となり、また、イオン風が針電極の軸心から対向電極に向かってイオン風が起こるため、中央から室内ユニット内部にオゾンが広がっていく。これにより、室内空間に浮遊する菌、ウイルス、カビ、粉塵、花粉などを帯電させることができ、積極的に室内ユニット内に取り込むことができる。さらに、取り込んだ菌、ウイルス、カビを室内ユニット内に充満させたオゾンにより死滅させることにより増殖を抑制することができる。
【００３９】
第１２の発明は、第９、１０の発明において、オゾン・イオン発生装置を吹出側風路の端部に配置し、対向電極が針電極の軸心を中心とした筒形状から一部を除去した円弧形状の電極であり、円弧形状の円弧中心が風向の風上側に対して中央方向に０度から９０度までの範囲に存在する、空気調和機である。
【００４０】
この構成により、塵捕集運転機能の動作時には、放電電極より風上側に対向電極の大部分が存在することになり、送風ファンからの風によって発生したイオンが対向電極で中和されることを抑制することになって、イオンが多く室内空間に放出されることになる。また、内部クリーン機能の動作中には、オゾン・イオン発生装置を吹出側風路の端部に配置したことにより、空気調和機の運転時に風の抵抗になりにくく、また、対向電極の正面からの投影面積も減少することになるので風の抵抗を抑えることができる。また、イオン風が針電極の軸心から対向電極に向かってイオン風が起こるため、円弧形状の円弧中心が風向の風上側に対して中央方向に０度から９０度までの範囲に存在する構成とすることで、室内ユニット内部にオゾンが広がっていく。これにより、室内空間に浮遊する菌、ウイルス、カビ、粉塵、花粉などを帯電させることができ、積極的に室内ユニット内に取り込むことができる。さらに、取り込んだ菌、ウイルス、カビを室内ユニット内に充満させたオゾンにより死滅させることにより増殖を抑制することができる。
【００４１】
第１３の発明は、放電電極と対向電極との間でコロナ放電を発生させてオゾンおよびマイナスイオンを発生させるオゾン・イオン発生装置において、放電電極が針電極であり、対向電極が針電極の軸心を中心とした筒形状から一部を除去した円弧形状の電極であり、かつ放電電極を対向電極の軸心上に放電電極の針先が対向電極の端面より突出する位置に配した、オゾン・イオン発生装置である。
【００４２】
対向電極が針電極の軸心を中心とした筒形状から一部を除去した円弧形状の電極であって、更にその放電電極の針先が対向電極の端面より突出しているので、マイナスイオンの主な放出方向である針先前方に対向電極が無いことでマイナスイオン放出量を増加させ、さらに、オゾン量も増加し、かつ、イオン風の利用により生成オゾンの拡散を促進できる。
【００４３】
第１４の発明は、第１３の発明において、対向電極が針電極の軸心を中心とした円弧形状の筒型電極であり、円弧が９０度以上２７０度以下である、オゾン・イオン発生装置である。
【００４４】
円弧が９０度以上２７０度以下であることで、幅広い指向性を持ったイオン風を生成することができ、生成したオゾンの拡散を促進させ、また、オゾン・マイナスイオン発生装置近傍に高濃度のオゾンを蓄積させることがないため、安全性および周辺部材の劣化を抑制することができる。
【００４５】
第１５の発明は、第１３の発明において、対向電極が針電極の軸心を中心とした円弧形状の筒型電極であり、左右の端部上部の角が扇状に切除されている、オゾン・イオン発生装置である。
【００４６】
円弧形状の筒電極の最も角が鋭利となる箇所を滑らかにすることで、安定した放電を起こすことができる。
【００４７】
第１６の発明は、第１３の発明において、対向電極が針電極の軸心を中心とした円弧形状の筒型電極であり、左右の端部が外側に折られている、オゾン・イオン発生装置である。
【００４８】
円弧形状の筒電極の最も角が鋭利となる箇所を他の円弧形状部分より針先から遠ざけることで、安定した放電を起こすことができる。
【００４９】
第１７の発明は、第１３〜１６の発明において、放電電極と対向電極の電極間に直流電圧を印加する高電圧発生装置を備え、この高電圧発生装置が印加する直流電圧は、範囲が−３ｋＶ以上−１０ｋＶ以下であり、かつ、電極間に流れる電流が１μＡより大きく、３０μＡより小さい、オゾン・イオン発生装置である。
【００５０】
放電の強さにともなうマイナスイオン発生量の増加、および対向電極に捕捉されてしまうマイナスイオン量の減少によるマイナスイオン放出量の増加、また、オゾン発生量をコントロールすることができ、イオンとともにオゾン発生量をともに増大させることができる。
【００５１】
以下、本発明の実施の形態について、図面を参照しながら説明する。なお、この実施の形態によって、この発明が限定されるものではない。
【００５２】
（実施の形態１）
図１は本発明の実施の形態１におけるオゾン・イオン発生装置を備える空気調和機の横断面図である。まず、空気調和機について説明する前に、本実施の形態１のオゾン・イオン発生装置８について説明する。
【００５３】
オゾン・イオン発生装置８は、放電電極と対向電極で構成されており、放電電極にマイナス電位を印加すると、放電電極の先端でコロナ放電が起こり、放電電極の先端から対向電極の内面に向かって電子が放出される。放出された電子の流れは高電界によって加速されながら気体分子と衝突し、気体分子に運動エネルギーを与えて空気の電子誘導風となって気流を生み出す。このとき、電子の一部は気体分子の結合起動の外殻にトラップされてマイナスに帯電したマイナスイオン分子となる。したがって、電子誘導風は、マイナスイオン分子を含むイオン風の気流となる。このように、放電電極と対向電極に直流の電位を印加することによって生じるイオン風は、放電電極から対向電極の間を抜けて吹き出される気流となり、マイナスイオン分子を含むイオン風を放電電極から対向電極に向かう方向に放出させることができる。
【００５４】
オゾン・イオン発生装置８は、放電によってオゾンおよびイオン風が発生する構成としてあり、本実施の形態１では、放電電極と対向電極を対置して両電極間に高電圧を印加し、コロナ放電によってイオン風を発生させるものとしているが、コロナ放電方式に特に限定するものではなく、種々の発生方法が採用可能である。
【００５５】
例えば、オゾン・イオン発生装置８の一例として、図２Ａ、Ｂに示すような構成を採ることができる。図２Ａはオゾン・イオン発生装置８の略概断面図であり、図２Ｂは図２Ａの矢印Ｓ１方向から見た模式図である。
【００５６】
図２Ａに示すように、オゾン・イオン発生装置８は長方形の板状に形成した対向電極３１と、針状の放電電極３２とを所定間隔を隔てて平衡に配置した構成としており、対向電極３１と放電電極３２はそれぞれ導線３３により高電圧発生装置３４に接続されている。高電圧発生装置３４により放電電極３２にマイナス電位を印加することによって生じるイオン風は、図２Ｂに示すように放電電極３２から対向電極３１の間を抜けて吹き出される気流となり、マイナスイオン分子を含むイオン風が放電電極３２から対向電極３１に向かう方向に放出される。すなわち、対向電極３１を板状に形成したことにより、イオン風は放電電極３２から対向電極３１の全長にわたって扇状に発生する気流となり、オゾン・イオン発生装置８よりイオン風と同時に発生させたオゾンを発生後すぐにイオン風によりオゾン・イオン発生装置を中心として扇状に拡散させることができる。
【００５７】
別のオゾン・イオン発生装置８の一例として、図３Ａ、Ｂに示すような構成を採ることができる。図３Ａはオゾン・イオン発生装置８の略概断面図であり、図３Ｂは図３Ａの矢印Ｓ２方向から見た模式図である。
【００５８】
図３Ａに示すように、オゾン・イオン発生装置は、対向電極４１を円筒状に形成し、上記円筒状の中心に針状の放電電極４２を配置し、対向電極４１が放電電極４２の外周を取り囲むように構成している。高電圧発生装置３４により放電電極４２にマイナス電位を印加することによって生じるイオン風は、図３Ｂに示すように放電電極４２から対向電極４１の間を抜けて吹き出される気流となり、マイナスイオン分子を含むイオン風が放電電極４２から対向電極４１に向かう方向に放出される。すなわち、対向電極４１を円筒状に形成したことにより、イオン風は放電電極４２を中心に円状に発生する気流となり、オゾン・イオン発生装置８よりイオン風と同時に発生させたオゾンを発生後すぐにイオン風によりオゾン・イオン発生装置８を中心として円状に拡散させることができる。
【００５９】
次に、本実施の形態１の空気調和機の全体構成について、図１を参照しながら説明する。
【００６０】
図１に示すように空気調和機の室内ユニットの本体１には、吸込口２が前面から上面にかけて形成され、吹出口３が下部に形成されている。吸込口２と吹出口３とを結ぶ空気通路には、空気中の粗い塵埃を取り除くためのエアフィルタ４と、ファンモータ（図示せず）に連結された送風ファン５と、熱交換器６とが設けられている。
【００６１】
本体１の吸込口２から吸引された空気は熱交換器６を通過させることにより熱交換され、冷却または加熱される。その後、室内送風回路である送風ファン５によって吹出口３より室内環境へと送り出され、所定の空調となるよう調整され、ルーバー７によって所定の方向へ調整された後、吹き出される構成となる。この時、本体１に吸い込まれる空気中の塵埃はエアフィルタ４に捕集される。
【００６２】
エアフィルタ４は、吸い込まれた室内空気の中に含まれる塵埃を捕集するためのものであり、熱交換器６の吸引側を覆うように設けられていて、オゾン・イオン発生装置８が発生させるオゾンで浄化される。
【００６３】
オゾン・イオン発生装置８は、上述のように、発生させるイオン風の上流側に放電電極が配置され、下流側に対向電極が配置されている。従い、室内ユニット内において、オゾン・イオン発生装置８の取付配置位置により、イオン風の気流方向を任意に設定することができる。
【００６４】
本実施の形態１では、オゾン・イオン発生装置８は、吹出口３下側に配置されている。オゾン・イオン発生装置８は本体１において、例えば吸込口２や送風ファン５近傍のどこに設置しても同様の殺菌効果を得ることが可能であるが、空気調和機の送風性能を低下させないためには、オゾン・イオン発生装置８を吹出口３近傍に設けることが望ましい。この構成にすることにより、送風ファン５との距離を長く取ることができ、送風性能の低下を抑制することができる。
【００６５】
なお、オゾン・イオン発生装置８は吹出口３下側の中央もしくは左右どちらかの端部等、吹出口３下部のどこに設置してもよく、本実施の形態１により、特に設置場所を限定するものではない。オゾン・イオン発生装置８を吹出口３下側に設置し、オゾン・イオン発生装置８の放電電極を吹出口３側に配置し対向電極を本体の背面側に配置する。このような構成にすることにより、イオン風は本体１内側に向かって流れ、イオン風と同時に発生させたオゾンがイオン風の気流で本体１内側に向かって拡散され、送風ファン５、熱交換器６、エアフィルタ４の順にオゾンが流れ充満されていく。従い、本体１内全体にオゾンを充満させることが可能となる。
【００６６】
また、オゾン・イオン発生装置８をイオン風の流れが上向き（エアフィルタ４側）になるように配置することにより、オゾン・イオン発生装置８を吹出口３に設置した場合でも、オゾンはイオン風により上部方向に拡散され、空気より高比重のオゾンをエアフィルタ４近傍まで充満させることが可能となる。従い、エアフィルタ４を含めた本体１内部の殺菌を効果的に行うことができる。
【００６７】
次に、本実施の形態１における空気調和機の動作について説明する。
【００６８】
空気調和機の冷凍サイクルの運転を停止させ、制御部９によりルーバー７で吹出口３を閉塞し、オゾン・イオン発生装置８を作動し、クリーン運転を開始する。オゾン・イオン発生装置８を作動させ、高電圧発生装置（図示せず）によって放電電極にマイナス電位を印加することにより、イオン風とオゾンの発生が開始する。オゾンはイオン風により本体１内部に拡散され、オゾンによる本体１内の殺菌が行われる。
【００６９】
ルーバー７で吹出口を閉塞することにより、本体１内部は密閉あるいは略密閉な状態となり、オゾンを効率良く本体１内に充満させることができる。従い、本体１内の微生物の殺菌を効果的に行うことができ、微生物の繁殖を抑制することが可能となる。前記のクリーン運転が所定時間行われると、オゾン・イオン発生装置８は停止され、クリーン運転が終了する。冷房運転停止後は、熱交換器６で凝縮した凝縮水が本体１内で蒸発し、本体１内部の湿度が高くなるため、雑菌やかびが繁殖し易い環境となっている。よって、冷房運転停止後に、クリーン運転を実施することが特に望ましい。
【００７０】
（実施例１）
図４は図２Ａに示すオゾン・イオン発生装置８を吹出口３の右端部に設置した空気調和機の正面図であり、図５はその空気調和機を上から見た平面図である。以下、空気調和機について、その動作、作用を説明するが、前述したものと同一構成については同一の符号を付してその詳細な説明は省略する。
【００７１】
図２Ｂに示すように、高電圧発生装置３４により放電電極３２にマイナス電位を印加することによって、マイナスイオン分子を含むイオン風が放電電極３２から対向電極３１に向かう方向に放出される。オゾン・イオン発生装置８の構成を上記のようにすることにより、オゾン・イオン発生装置８より発生するイオン風にある程度の指向性を与えてイオン風の無駄な拡散を抑制し、適量な風量感のある気流を得ることができる。
【００７２】
空気調和機の送風性能の低下を防ぐためにはオゾン・イオン発生装置８は吹出口３の端部に配置することが望ましいが、オゾン・イオン発生装置８を吹出口３端部に設置した場合、吹出口３の反対側端部および上部対角方向のエアフィルタ４端部にまでオゾンが充満しないことが課題となる。そこで、図５に示すように、オゾン・イオン発生装置８を吹出口３右端部に設置し、イオン風が対角方向に流れるように配置することにより、前記の風量感のあるイオン風によりオゾンを本体１内部の反対側の端部にまで全体に拡散させることが可能となる。
【００７３】
さらに、オゾン・イオン発生装置８をイオン風の流れが上向きになるように配置することにより、空気より高比重のオゾンをエアフィルタ４近傍まで迅速に充満させることが可能となる。従い、実施例１においては、空気調和機の送風性能を低下させることなく、エアフィルタを含めた本体１内部の殺菌および脱臭を効果的に行うことができる。本実施の形態の場合、対向電極３１の幅を５〜１０ｍｍ程度とすることにより、適度なイオン風の指向性とオゾン発生量を確保することができた。
【００７４】
また、放電電極３２の放電部すなわち先端部を、対向電極３１の端部よりも突出させた構成とすることにより、対向電極３１に捕捉されるイオン量を抑制し、空気中に放出されるイオン量を増加させることができる。従い、イオン風の風量を増加させることができ、オゾンを本体１内部に迅速に拡散させることが可能となり、さらにより効果的にエアフィルタ４にまでオゾンを充満させることが可能となる。
【００７５】
（実施例２）
図６は図３Ａに示すオゾン・イオン発生装置８を吹出口３中央部に設置した空気調和機の正面図であり、図７はその空気調和機を上から見た平面図である。
【００７６】
図７に示すようにオゾン・イオン発生装置８を吹出口３下側の中央部に配置したことにより、本体１の中央から周囲に対して均一にオゾンを拡散させることができ、従い本体１内部にオゾンを均一に充満させることが可能となる。
【００７７】
また、放電電極４２の放電部すなわち先端部を、対向電極４１の端部よりも突出させた構成とすることにより、対向電極４１に捕捉されるイオン量を抑制し、空気中に放出されるイオン量を増加させることができる。従い、イオン風の風量を増加させることができ、オゾンを本体１内部に迅速に拡散させることが可能となり、さらにより効果的にエアフィルタ４にまでオゾンを充満させることが可能となる。これにより、本体１内の微生物の殺菌を効果的に行うことができ、微生物の繁殖を効果的に抑制することができる。
【００７８】
（実施の形態２）
本発明の実施の形態２では、前述のオゾン・イオン発生装置８を特定の構成に限定したオゾン・イオン発生装置１０８について説明する。
【００７９】
図８は、本実施の形態２におけるオゾン・イオン発生装置１０８の模式図である。オゾン・イオン発生装置１０８は、放電電極１０２と対向電極１０１との間に高電圧発生装置１０４によりマイナスの高電圧をかけ、コロナ放電を発生させてオゾンとマイナスイオンを発生させるものである。
【００８０】
対向電極１０１は、図９に示すような円弧状の形状をしている。そして、放電電極１０２は対向電極１０１の軸心上に放電電極１０２の針先が対向電極１０１の端面より突出（図面では上方に突出）する位置に配してある。
【００８１】
上記対向電極１０１は円弧状の形状をしていることで、放電電極１０２からの距離が略等しく円弧状の形状をする対向電極１０１上で均等な放電をすることができ、効率的な放電が可能となる。さらに、図１０に示すような、円弧状筒型電極の上部両端角が扇状に切除加工されていることで最近接部の鋭利な面が取り除かれ、安定した放電を行なうことができる。また、図１１に示すような、左右の端部が外側に折られていることで最近接部の鋭利な面が放電電極１０２の針先から遠ざけられ、安定した放電を行なうことができる。
【００８２】
対向電極１０１の材料は、ステンレス、ニッケル、アルミ、銅、タングステンなどが挙げられるが、ステンレスが、汎用的であり、加工性の面からも望ましい。板厚は、０．３ｍｍ以上、２ｍｍ以下であれば良い。０．３ｍｍ未満では、強度が弱くなってしまい、製造過程などで形状が変形しやすいことが問題となってしまう。また、１ｍｍより大きいと、加工がしにくい。
【００８３】
放電電極１０２の材料は、ステンレス、ニッケル、アルミ、銅、タングステンなどが挙げられるが、ステンレスが、汎用的であり、加工性の面からも望ましい。放電電極１０２の形状は、先端が鋭く尖った形状をしており、鋭く尖っているほど、オゾン発生量が減少する。放電電極１０２は、径が０．３ｍｍ以上、１ｍｍ以下であれば良い。０．３ｍｍ未満では、先端との差が出にくい。また、１ｍｍより大きいと、加工が難しくなる。
【００８４】
高電圧発生装置１０４は対向電極１０１と放電電極１０２との間にマイナスの高電圧をかけるが、図１２に示すように、対向電極１０１と放電電極１０２の電極間に流す電流は直流であり、１μＡ以上の電流が流れると、オゾン発生量が２５μｇ／ｈ以上となり、例えば、４０Ｌの密閉容器であれば、オゾン濃度を３０ｐｐｂ程度まで高めることができる。３０ｐｐｂ程度のオゾンは臭いをわずかに感じるかのレベルであり、非常に利用しやすい濃度である。また、図１３に示すように、３０μＡ以下の電流が流れると、オゾン発生量が４００μｇ／ｈ程度となり、例えば、２００Ｌの密閉容器であれば、オゾン濃度を１００ｐｐｂ程度にすることができる。１００ｐｐｂ以上のオゾンが蓄積すると、長時間暴露されると人体に与える影響も現れるため１００ｐｐｂ以下であることが望ましい。つまり、対向電極１０１と放電電極１０２の電極間に流す電流は１μＡ以上、３０μＡ以下が望ましい。
【００８５】
図１４は、円筒直径１５ｍｍかつ円弧角度が１８０度で放電電極１０２の針先の突出長さ１０６が１０ｍｍのオゾン・イオン発生装置１０８を用いた時の印加電圧と電流値の関係を示している。同図に示すように、−３ｋＶ程度から電流値が立ち上がり、コロナ放電が開始していることがわかる。また、印加電圧の増加とともに電流値が増加している。しかしながら、−１０ｋＶまで印加電圧を増加させると、安全設計のため、空間距離や沿面距離を十分にとる必要がでてくる。そのためオゾン・イオン発生装置１０８が大きくなってしまうため不適である。また電圧を増加させることで電極間の短絡も懸念されるため印加電圧を増加させることは好ましくない。本発明の実施の形態では、一部の電極形状で、印加電圧−１０ｋＶで電極間の短絡が確認されたことから、より好ましくは、印加電圧は−８ｋＶ以下である。
【００８６】
このように高電圧発生装置１０４は、上記電流と印加電圧を発生させ、さらに、安全性を保つことができるものである。また、電流制限をかけるなど保護回路を有していることが望ましい。
【００８７】
図１５は、円筒直径１５ｍｍかつ円弧角度が１８０度で印加電圧が−６ｋＶのオゾン・イオン発生装置１０８を用いた時の突出長さ１０６とマイナスイオン発生量および電流値の関係を示している。放電電極１０２の針先の突出長さ１０６が負のとき、つまり対向電極１０１より図面上低い位置にあるときは、マイナスイオン量は少ない。放電電極１０２の針先の突出長さ１０６がゼロを境に正になると、つまり対向電極１０１より図面上高い位置に突出すると、マイナスイオン量が増加するともに、顕著に電流値が減少してくる。これは、放電電極１０２の針先と最近接部距離１０７が離れることで放電が弱くなるとともに、マイナスイオンが放出されやすくなるからである。このことから、突出長さ１０６はゼロより大きいことが好ましい。また、詳細は後で述べるが、突出長さ１０６は、図１６や図１７に示すように、１３ｍｍでも対向電極１０１と放電電極１０２の電極間に流れる電流が５μＡとなっており、十分にオゾン発生量を確保できる。すなわち、イオンとともにオゾンの発生量も確保することができ、イオンとオゾンを実用的レベルで両立させることができる。
【００８８】
図１６は、円筒直径１５ｍｍかつ印加電圧が−８ｋＶのオゾン・イオン発生装置１０８を用いた時の円弧角度および突出長さ１０６とマイナスイオン発生量および電流値の関係を示している。突出長さ１０６を十分にとることで、円弧角度によるマイナスイオン放出量の影響を減らすことができている。また、円弧角度が大きいほど、電流値が高くなるので、電流値１μＡ以上３０μＡを実現するために円弧角度を制御することで、マイナスイオン放出量との両立が可能となる。
【００８９】
図１７は、印加電圧が−８ｋＶのオゾン・イオン発生装置１０８を用いた時の円筒直径１０５および突出長さ１０６とマイナスイオン発生量および電流値の関係を示している。突出長さ１０６を十分にとることで、円筒直径１０５によるマイナスイオン放出量の影響を減らすことができている。また、円筒直径１０５が小さいほど、電流値が高くなるので、電流値１μＡ以上３０μＡを実現するために円筒直径１０５を制御することで、マイナスイオン放出量との両立が可能となる。しかしながら、円筒直径１０５は、その内径の直径が、小さいと短絡の危険性が高くなり、大きすぎると放電が弱くなってしまうので、１０ｍｍ以上、３０ｍｍ以下である必要がある。また、３０ｍｍより大きいと、オゾン・イオン発生装置１０８として大きくなってしまうため利用の幅が狭くなってしまうことも大きな理由である。
【００９０】
円筒幅（図面上では上下の幅）は、０．３ｍｍ以上、５ｍｍ以下であればよい。０．３ｍｍ未満では強度が弱くなる。また、５ｍｍより大きいと、発生したマイナスイオンが対向電極１０１に捕捉されるため、マイナスイオン放出量が減少する。この傾向は、針先突出長さが長いほど減少する。
【００９１】
最近接部距離１０７は、放電電極１０２の先端と対向電極１０１の距離を表している。最近接部距離１０７を、小さくとれば、放電の強さが増し、電極間の電流値が増加し、大きくすれば、電極間の電流値が減少する。
【００９２】
図１８は、密閉はされていないが、風除けができる４０Ｌの容器に、オゾン・イオン発生装置１０８を設置し、オゾン・イオン発生装置１０８の対向電極の円弧角度と発生装置近傍のオゾン濃度の関係を示したものである。対向電極１０１と放電電極１０２の電極間に流れる電流を５μＡとしている。４０Ｌの密閉容器では充満するとオゾン濃度は、１５０ｐｐｂ程度まで上昇する。しかしながら、円弧角度が９０度以上２７０度以下のオゾン・イオン発生装置１０８では、発生装置近傍で１００ｐｐｂを超えておらず、オゾンをよく拡散している。つまり、オゾンの拡散を促進するために、円弧角度は９０度以上２７０度以下が望ましい。
【００９３】
なお、図８に示す導線１０３は、樹脂で被覆された導線であり、特に、放電電極側の導線１０３は、高電圧にも耐えうる、フッ素樹脂被覆やシリコーン樹脂被覆などの耐圧性の導線が望ましい。
【００９４】
（実施の形態３）
本発明の実施の形態３では、実施の形態２におけるオゾン・イオン発生装置１０８を用いた空気調和機について説明する。
【００９５】
図１９は本実施の形態３における空気調和機の室内ユニットの横断面模式図である。室内ユニット２１０は、吸込口２、吹出口３、送風ファン５、熱交換器６、吸込口側風路２１１、吹出口側風路２１２、オゾン・イオン発生装置１０８から大きくは構成されている。なお、吸込口２、吹出口３、吸込口側風路２１１、吹出口側風路２１２は、本体１に形成されている。
【００９６】
まず、空気調和機の通常の運転について説明する。送風ファン５が回転すると、室内空間から空気が、吸込口２を通過して、吸込口側風路２１１に取り込まれる。取り込まれた空気が、熱交換器６によって、冷房運転時には冷やされ、また、暖房運転時には温められ、吹出口側風路２１２を経て、吹出口３から室内空間に供給される。
【００９７】
次に、塵捕集運転機能について説明する。塵捕集運転機能は、送風ファン５が回転することで、室内空間から空気が、吸込口２を介して吸込口側風路２１１に取り込まれ、熱交換器６によって、冷房運転時には冷やされ、暖房運転時には温められる。これと同時にオゾン・イオン発生装置１０８に通電することによってオゾン・イオン発生装置１０８からイオンが生成され、このイオンが吹出口３から室内空間に供給される。この際、送風ファン５の回転数が増えるほど、風量、風速が上がることとなり、オゾン・イオン発生装置から生成したイオンが中和されることが抑制され、室内空間へのイオンの放出が増加する。このため、塵捕集運転機能が強く望まれる際には、送風ファン５の回転数を上げた運転が、イオン放出量増大と、室内ユニット２１０への室内空気の取り込み量の増大の点から効果的である。
【００９８】
また、この塵捕集運転機能は、熱交換器６を作動させることなく送風ファン５による送風のみによる塵捕集運転も可能なものである。
【００９９】
次に、内部クリーン運転機能について説明する。これは、通常運転の完了後、通常運転と塵捕集運転機能の併用運転後、または、塵捕集運転機能の単独運転後に、運転を行う。運転は、オゾン・イオン発生装置１０８を作動させることによって行われるが、オゾン・イオン発生装置１０８から発生するオゾンが、オゾン・イオン発生装置１０８から吹出口側風路２１２を通り、吸込口２側へとイオン風が吹くことにより、オゾンが室内ユニット２１０内部に拡散する。すなわち、送風ファン５を動作させなくても拡散させることができ、ファン駆動音なく内部クリーン運転を行うことができる。
【０１００】
なお、図１９では、オゾン・イオン発生装置１０８を、吹出口側風路２１２の下部に配しているが、吹出口側風路２１２の天面部や、吹出口側風路２１２の側面部に配することも可能である。
【０１０１】
本実施の形態３で用いられているオゾン・イオン発生装置１０８は、実施の形態２の説明で図８などを用いて説明したように、放電電極１０２は対向電極１０１の軸心上に放電電極１０２の針先が対向電極１０１の端面より突出（図面では上方に突出）する位置に配しているため、無風状態であってもイオンの放出量が多くすることができ、風量や風速に大きく左右されず安定的に室内空間にイオンを放出することができるため好適である。
【０１０２】
このイオン風は、放電電極１０２から、対向電極１０１に向かって強く放射する。また、対向電極１０１の円弧角度が大きくなれば、イオン風の広がりは大きくなり、逆に、対向電極１０１の円弧角度が小さくなれば、イオン風の広がりは小さくなる。なお、対向電極１０１が放電電極１０２に比べて上方に配する場合は、イオン風が対向電極１０１に向けて上方に向かった風となる。そこで、吸込口２側へイオン風を起こすために、放電電極１０２の針先を送風ファン５方向に傾けることが好適となる。
【０１０３】
高電圧発生装置１０４は対向電極１０１と放電電極１０２との間に高電圧をかけるが、プラスもしくはマイナスの直流電圧である。マイナスの直流電圧をかけることがよりプラスの直流電圧をかけるよりオゾンが発生しやすく、室内へのイオン放出量とオゾン発生量とを制御しやすい点からマイナスの直流電圧がより望ましい。また、パルスや交流を用いることも可能であるが、直流であることで継続的にイオン風を発生させることができる点で好ましい。
【０１０４】
図２０Ａ、Ｂは、本発明の実施の形態３における空気調和機に組み込まれたオゾン・イオン発生装置１０８を示し、図２０Ａはオゾン・イオン発生装置の上から見た平面図、図２０Ｂはオゾン・イオン発生装置の横から見た側面図である。
【０１０５】
風上方向２３１に対して、円弧中心方向２３２が、円弧中心の風上方向との角度２３３の傾きをもっている。図２１に示すような、オゾン・イオン発生装置１０８を吹出口側風路２１２の略中央部分に配置した空気調和機室内ユニットでは、風上方向２３１と、円弧中心方向２３２が、ほぼ同一とすることで、塵捕集運転機能の動作時には、放電電極１０２より風上側に対向電極１０１の大部分が存在することになる。これにより、送風ファンからの風によって発生したイオンが対向電極で中和されることを抑制することになり、イオンが多く室内空間に放出されるので好適である。
【０１０６】
また、内部クリーン機能の動作中には、イオン風が針電極の軸心から対向電極に向かってイオン風が起こるため、中央から室内ユニット内部にオゾンが広がっていき、オゾンを室内ユニット内部に行き渡らせるのに好適である。
【０１０７】
また、図２２に示すような、オゾン・イオン発生装置１０８を吹出口側風路２１２の端部に配置した空気調和機室内ユニットでは、円弧中心の風上方向との角度２３３が、０度から９０度とすることで、塵捕集運転機能の動作時には、放電電極１０２より風上側に対向電極１０１の大部分が存在することができる。これにより、送風ファンからの風によって発生したイオンが対向電極で中和されることを抑制することになり、イオンが多く室内空間に放出されるので好適である。
【０１０８】
また、内部クリーン機能の動作中には、イオン風が針電極の軸心から対向電極に向かってイオン風が起こるため、端部から室内ユニット内部にオゾンが広がっていき、オゾンを室内ユニット内部に行き渡らせるのに好適である。
【０１０９】
なお、図２２は、オゾン・イオン発生装置１０８が正面から見て右端部に設置されているが、左端部に設置することも可能で、その際は、円弧中心方向２３２が、風上方向２３１を軸として対称となる。また、図２２では、オゾン・イオン発生装置１０８を、片側端部に１つ設置しているが、両側端部にそれぞれ１つずつ設置することも可能で、その際には、片側設置の場合より、円弧中心の風上方向との角度２３３の角度が小さくなる。
【０１１０】
イオン風は、放電電極１０２から、対向電極１０１に向かって強く放射する。また、対向電極１０１の円弧角度２３４が大きくなれば、イオン風の広がりは大きくなり分散してしまい、逆に、対向電極１０１の円弧角度２３４が小さくなれば、イオン風の広がりは小さくなり局所集中してしまう。そのため、円弧角度２３４は９０度から２７０度であることが好適である。
【０１１１】
また、対向電極１０１が放電電極１０２より吹出口の内部寄り側に位置する形で吹出口風路面２３５から突出していることで、吹出口風路面２３５内部で遮られることなく、イオン風が、吹出口風路面２３５に沿って、吸込口側に流れる。
【０１１２】
なお、上記様々な実施形態のうちの任意の実施形態を適宜組み合わせることにより、それぞれの有する効果を奏するようにすることができる。
【０１１３】
また、実施の形態２で説明したように、高電圧発生装置１０４が印加する直流電圧を、範囲が−３ｋＶ以上−１０ｋＶ以下であり、かつ、電極間に流れる電流が１μＡより大きく、３０μＡより小さくなる構成とすることにより、空気より高比重のオゾンをエアフィルタ４近傍まで流すことができるイオン風を生成しつつエアフィルタに付着した微生物を殺菌できるオゾンを発生させることができ、実用に供しうるオゾン・イオン発生装置とすることができる。
【産業上の利用可能性】
【０１１４】
以上のように、本発明のオゾン・イオン発生装置およびそれを用いた空気調和機は、オゾンとイオン風を発生させ、殺菌および脱臭を効果的に行うことができるので、空気調和機以外の家庭用電気製品等の用途にも適用できる。
【符号の説明】
【０１１５】
１  本体
２  吸込口
３  吹出口
４  エアフィルタ
５  送風ファン
６  熱交換器
７  ルーバー
８  オゾン・イオン発生装置
９  制御部
３１  対向電極
３２  放電電極
３３  導線
３４  高電圧発生装置
４１  対向電極
４２  放電電極
１０１  対向電極
１０２  放電電極
１０３  導線
１０４  高電圧発生装置
１０５  円筒直径
１０６  突出長さ
１０７  最近接部距離
１０８  オゾン・イオン発生装置
１２１  円弧角度
２１０  室内ユニット
２１１  吸込口側風路
２１２  吹出口側風路
２３１  風上方向
２３２  円弧中心方向
２３３  角度
２３４  円弧角度
２３５  吹出口風路面
【図１】
2012035757.tif 000003
【図２Ａ】
2012035757.tif 000004
【図２Ｂ】
2012035757.tif 000005
【図３Ａ】
2012035757.tif 000006
【図３Ｂ】
2012035757.tif 000007
【図４】
2012035757.tif 000008
【図５】
2012035757.tif 000009
【図６】
2012035757.tif 000010
【図７】
2012035757.tif 000011
【図８】
2012035757.tif 000012
【図９】
2012035757.tif 000013
【図１０】
2012035757.tif 000014
【図１１】
2012035757.tif 000015
【図１２】
2012035757.tif 000016
【図１３】
2012035757.tif 000017
【図１４】
2012035757.tif 000018
【図１５】
2012035757.tif 000019
【図１６】
2012035757.tif 000020
【図１７】
2012035757.tif 000021
【図１８】
2012035757.tif 000022
【図１９】
2012035757.tif 000023
【図２０Ａ】
2012035757.tif 000024
【図２０Ｂ】
2012035757.tif 000025
【図２１】
2012035757.tif 000026
【図２２】
2012035757.tif 000027
【国際調査報告】
2012035757.tif 000028
2012035757.tif 000029
2012035757.tif 000030
2012035757.tif 000031
2012035757.tif 000032
2012035757.tif 000033
2012035757.tif 000034
2012035757.tif 000035